(57)【要約】【課題】本発明の課題は、建物の基礎上に壁を強固に固定することができ、延いては建物全体の補強を行うことが可能な建物の補強構造を提供することを目的とする。【解決手段】基礎１上に、縦材２０ａおよび横材２０ｂを矩形枠状に組み立ててなる矩形枠２０と、この矩形枠２０の両面に取り付けられた面材２１，２２とを備えた壁２が立設されてなり、前記両面材２１，２２のうち、少なくとも一方の面材２１に当接する第１当接面３ａを有する補強金物３が、前記横材２０ｂの上面に設置されるとともに、前記基礎１から突出するアンカーボルト１ａに接続されており、前記第１当接面３ａに接着剤が塗布されていることを特徴とする建物の補強構造。これにより、少なくとも一方の面材と補強金物とを接着でき、このような補強金物を介して、壁を基礎に対して強固に固定することができる。【選択図】図１
2008115563.tif 000002
【特許請求の範囲】
【請求項１】
基礎上に、縦材および横材を矩形枠状に組み立ててなる矩形枠と、この矩形枠の両面に取り付けられた面材とを備えた壁が立設されてなる建物の補強構造において、
前記両面材のうち、少なくとも一方の面材に当接する第１当接面を有する補強金物が、前記横材の上面に設置されるとともに、前記基礎から突出するアンカーボルトに接続されており、前記第１当接面に接着剤が塗布されていることを特徴とする建物の補強構造。
【請求項２】
請求項１に記載の建物の補強構造において、
前記補強金物は、前記縦材に当接する第２当接面を有しており、この第２当接面に接着剤が塗布されていることを特徴とする建物の補強構造。
【請求項３】
請求項１または２に記載の建物の補強構造において、
前記補強金物は、前記横材に当接する第３当接面を有しており、この第３当接面に接着剤が塗布されていることを特徴とする建物の補強構造。
【請求項４】
請求項１〜３のいずれか一項に記載の建物の補強構造において、
前記面材に、前記補強金物を壁の内部に差し入れるための差入孔が形成されていることを特徴とする建物の補強構造。
【請求項５】
請求項１〜４のいずれか一項に記載の建物の補強構造において、
前記横材および補強金物の底部には、前記アンカーボルトが挿通されるボルト挿通孔が形成され、前記アンカーボルトの上端にナットが螺合されていることを特徴とする建物の補強構造。
【発明の詳細な説明】
【技術分野】
【０００１】
本発明は、基礎上に、縦材および横材を矩形枠状に組み立ててなる矩形枠と、この矩形枠の両面に取り付けられた面材とを備えた壁が立設されてなる建物の補強構造に関する。
【背景技術】
【０００２】
木製の柱を基礎に固定する際、従来は、まず土台となる木材をアンカーボルトで固定し、この土台を介して基礎に柱を固定することが多い。
このような基礎に柱を固定する技術については種々のものが提案されており、例えば、柱の側面に固定したホールダウン金物とアンカーボルトとを連結することによって、柱と基礎とを結合する技術が知られている（例えば、特許文献１参照）。
【特許文献１】特開２００１−２１４９１４号公報
【発明の開示】
【発明が解決しようとする課題】
【０００３】
ところで、地震や台風等によって建物が倒壊する際は、建物の柱、土台等の引き抜きなどが原因の一つとなる場合があった。このため、近年では、上記特許文献１に記載されたような技術よりも、さらに柱の固定強度を高めたり、柱を固定する金物の剛性を高めたりする建物の補強技術の改良が成されている。そして、このような建物の補強技術を、パネル工法やツーバイフォー工法等の建物にも取り入れたいという要望があった。
【０００４】
本発明の課題は、建物の基礎上に壁を強固に固定することができ、延いては建物全体の補強を行うことが可能な建物の補強構造を提供することを目的とする。
【課題を解決するための手段】
【０００５】
請求項１に記載の発明は、例えば図１〜図４に示すように、基礎１上に、縦材２０ａおよび横材２０ｂを矩形枠状に組み立ててなる矩形枠２０と、この矩形枠２０の両面に取り付けられた面材２１，２２とを備えた壁２が立設されてなる建物の補強構造において、
前記両面材２１，２２のうち、少なくとも一方の面材２１に当接する第１当接面３ａ（３Ａａ）を有する補強金物３（３Ａ）が、前記横材２０ｂの上面に設置されるとともに、前記基礎１から突出するアンカーボルト１ａに接続されており、前記第１当接面３ａ（３Ａａ）に接着剤が塗布されていることを特徴とする。
【０００６】
請求項１に記載の発明によれば、前記両面材２１，２２のうち、少なくとも一方の面材２１に当接する第１当接面３ａ（３Ａａ）に接着剤が塗布されているので、この接着剤によって前記少なくとも一方の面材２１と補強金物３（３Ａ）とを接着することができる。そして、このような補強金物３（３Ａ）が、前記横材２０ｂの上面に設置されるとともに、前記基礎１から突出するアンカーボルト１ａに接続されているので、前記少なくとも一方の面材２１に接着された補強金物３（３Ａ）を介すようにして、前記壁２を基礎１に対して強固に固定することができる。これによって、例えば地震や台風等の際における壁２の引き抜きを確実に防ぐことが可能となり、延いては、建物全体の補強を行うことができる。
【０００７】
請求項２に記載の発明は、例えば図１〜図４に示すように、請求項１に記載の建物の補強構造において、
前記補強金物３（３Ａ）は、前記縦材２０ａに当接する第２当接面３ｂ（３Ａｂ）を有しており、この第２当接面３ｂ（３Ａｂ）に接着剤が塗布されていることを特徴とする。
【０００８】
請求項２に記載の発明によれば、前記補強金物３（３Ａ）は、前記縦材２０ａに当接する第２当接面３ｂ（３Ａｂ）を有しており、この第２当接面３ｂ（３Ａｂ）に接着剤が塗布されているので、この接着剤によって前記縦材２０ａと補強金物３（３Ａ）とを接着することができる。これによって、前記壁２を基礎１に対してより強固に固定することができるので、例えば地震や台風等の際における壁２の引き抜きをより確実に防ぐことが可能となる。
【０００９】
請求項３に記載の発明は、例えば図１〜図４に示すように、請求項１または２に記載の建物の補強構造において、
前記補強金物３（３Ａ）は、前記横材２０ｂに当接する第３当接面３ｃ（３Ａｃ）を有しており、この第３当接面３ｃ（３Ａｃ）に接着剤が塗布されていることを特徴とする。
【００１０】
請求項３に記載の発明によれば、前記補強金物３（３Ａ）は、前記横材２０ｂに当接する第３当接面３ｃ（３Ａｃ）を有しており、この第３当接面３ｃ（３Ａｃ）に接着剤が塗布されているので、この接着剤によって前記横材２０ｂと補強金物３（３Ａ）とを接着することができる。これによって、前記壁２を基礎１に対してさらに強固に固定することができるので、例えば地震や台風等の際における壁２の引き抜きをさらに確実に防ぐことが可能となる。
【００１１】
請求項４に記載の発明は、例えば図５に示すように、請求項１〜３のいずれか一項に記載の建物の補強構造において、
前記面材２２に、前記補強金物３（３Ａ）を壁２の内部に差し入れるための差入孔４が形成されていることを特徴とする。
【００１２】
請求項４に記載の発明によれば、前記面材２２に差入孔４が形成されているので、この差入孔４から補強金物３（３Ａ）を壁２の内部に容易に差し入れて前記横材２０ｂの上面に設置することができる。すなわち、このように補強金物３（３Ａ）を容易に設置することができるので、前記壁２を基礎１に対して容易に固定することが可能となる。
また、前記面材２２に差入孔４を形成するだけで、前記補強金物３（３Ａ）を壁２の内部に差し入れることができ、前記壁２を基礎１に対して固定することができるので、新築建物だけでなく、既存建物のリフォームにも対応することが可能となる。
【００１３】
請求項５に記載の発明は、例えば図１〜図４に示すように、請求項１〜４のいずれか一項に記載の建物の補強構造において、
前記横材２０ｂおよび補強金物３（３Ａ）の底部３０ａ（３０Ａａ）には、前記アンカーボルト１ａが挿通されるボルト挿通孔５，６が形成され、前記アンカーボルト１ａの上端にナット７が螺合されていることを特徴とする。
【００１４】
請求項５に記載の発明によれば、前記横材２０ｂおよび補強金物３（３Ａ）の底部３０ａ（３０Ａａ）には、前記アンカーボルト１ａが挿通されるボルト挿通孔５，６が形成されているので、このボルト挿通孔５，６にアンカーボルト１ａを挿通させることによって前記基礎１と、前記壁２および補強金物３（３Ａ）とを確実に接続することができる。
また、前記アンカーボルト１ａの上端にナット７が螺合されていることから、前記壁２を、前記補強金物３（３Ａ）を介して基礎１に対して確実に固定できるとともに、より一層強固に固定できるので、例えば地震や台風等の際における壁２の引き抜きをより一層確実に防ぐことが可能となる。
【発明の効果】
【００１５】
本発明によれば、壁を構成する両面材のうち、少なくとも一方の面材に当接する第１当接面に接着剤が塗布されているので、この接着剤によって、少なくとも一方の面材と補強金物とを接着することができる。そして、このような補強金物が、壁を構成する横材の上面に設置されるとともに、基礎から突出するアンカーボルトに接続されているので、少なくとも一方の面材に接着された補強金物を介すようにして、壁を基礎に対して強固に固定することができる。これによって、例えば地震や台風等の際における壁の引き抜きを確実に防ぐことが可能となり、延いては、建物全体の補強を行うことができる。
【発明を実施するための最良の形態】
【００１６】
以下、図面を参照して本発明の実施の形態について説明する。
なお、本実施の形態における建物は、壁や床、屋根といった建物の構成要素を予め工場にてパネル化しておき、施工現場でこれらのパネルを組み立てて構築するパネル工法で構築されるが、その他にも、２×４インチの断面を有する木材、または２インチはそのままで４インチの整数倍の断面長さを有する木材を、主として釘打ち工法によって建て、壁全体で支える壁式工法等の建物にも適用することができる。
【００１７】
（第１の実施の形態）
本実施の形態の建物の補強構造は、図１および図２、図５に示すように、基礎１上に、縦材２０ａおよび横材２０ｂを矩形枠状に組み立ててなる矩形枠２０と、この矩形枠２０の両面に取り付けられた面材２１，２２とを備えた壁２が立設されてなるものであり、前記両面材２１，２２のうち、少なくとも一方の面材２１に当接する第１当接面３ａを有する補強金物３が、前記横材２０ｂの上面に設置されるとともに、前記基礎１から突出するアンカーボルト１ａに接続されており、前記第１当接面３ａに接着剤が塗布されている。
【００１８】
ここで、前記基礎１は布基礎１であり、図１に示すように、この基礎１には、アンカーボルト１ａが上方に向かって突出するようにして埋め込まれている。
また、図示はしないが、前記アンカーボルト１ａは、前記基礎１に沿って複数埋め込まれており、このアンカーボルト１ａを、前記基礎１と建物の躯体との連結に用いることができるようになっている。
【００１９】
また、前記基礎１の上面には、図１および図５に示すように、土台部材１ｂが設けられている。この土台部材１ｂは、土台部材１ｂ上に配置されるものから伝えられる荷重を前記基礎１に伝えるための木材であり、この土台部材１ｂの上面には前記壁２が立設されている。
なお、これら複数の土台部材１ｂは、地面に近い位置に配設されるので、防腐防蟻処理が成された木材を用いることが望ましい。また、前記アンカーボルト１ａは、この土台部材１ｂを貫通した状態となっている。
【００２０】
なお、図示はしないが、前記土台部材１ｂに代えて、複数の框材を矩形枠状に組み立ててなる矩形枠と、この矩形枠の上面に取り付けられた面材とを備えた床パネルを用いるようにしても良い。
【００２１】
一方、前記壁２は、上述したように、縦材２０ａおよび横材２０ｂを矩形枠状に組み立ててなる矩形枠２０と、この矩形枠２０の両面に取り付けられた面材２１，２２とを備えている。そして、この壁２は、図１および図５に示すように、横材２０ｂを前記土台部材１ｂの上面に接するように配置するとともに、この横材２０ｂの端部において縦材２０ａが上方に立ち上がるようにして前記土台部材１ｂ上に立設されている。
【００２２】
そして、前記補強金物３は、図２に示すように、前記横材２０ｂの上面に設けられる底部３０ａと、この底部３０ａに直交するようにして該底部３０ａの一端部に立設された立設壁部３０ｂとからなる断面略Ｌ字状の本体部３０と、この本体部３０の側部において前記底部３０ａ上に立設された側壁部３１とを備えている。
【００２３】
また、この補強金物３は、上述したように、前記両面材２１，２２のうち、少なくとも一方の面材２１に当接する第１当接面３ａを有している。この第１当接面３ａは、図１および図２に示すように、前記補強金物３の立設壁部３０ｂが該当している。
【００２４】
また、上述したように、この第１当接面３ａには接着剤が塗布されており、この接着剤によって前記少なくとも一方の面材２１と補強金物３とを接着することができるようになっている。
そして、このような補強金物３が、前記横材２０ｂの上面に設置されるとともに、前記基礎１から突出するアンカーボルト１ａに接続されているので、前記少なくとも一方の面材２１に接着された補強金物３を介すようにして、前記壁２を基礎１に対して強固に固定することができる。これによって、例えば地震や台風等の際における壁２の引き抜きを確実に防ぐことが可能となる。
【００２５】
さらに、前記補強金物３は、前記縦材２０ａに当接する第２当接面３ｂを有しており、この第２当接面３ｂは、図１および図２に示すように、前記立設壁部３０ｂが前記少なくとも一方の面材２１に当接しているので、前記側壁部３１の側面が該当している。
【００２６】
そして、この第２当接面３ｂには接着剤が塗布されており、この接着剤によって前記縦材２０ａと補強金物３とを接着することができる。これによって、前記壁２を基礎１に対してより強固に固定することができるので、例えば地震や台風等の際における壁２の引き抜きをより確実に防ぐことが可能となる。
【００２７】
さらに、前記補強金物３は、前記横材２０ｂに当接する第３当接面３ｃを有しており、この第３当接面３ｃは、図１および図２に示すように、前記底部３０ａの底面が該当している。
【００２８】
そして、この第３当接面３ｃには接着剤が塗布されており、この接着剤によって前記横材２０ｂと補強金物３とを接着することができる。これによって、前記壁２を基礎１に対してさらに強固に固定することができるので、例えば地震や台風等の際における壁２の引き抜きをさらに確実に防ぐことが可能となる。
【００２９】
また、本実施の形態の接着剤は、種々のものが挙げられるが、例えばアンカーボルト１ａ等の金属と、土台部材１ｂおよび壁２等の木材との接着に適すとともに、接着剤自体の経年変化も効果的に防ぐことができるもの等、本発明の趣旨を逸脱せず、しかも、より高い効果を得ることができるような接着剤を用いるようにする。
【００３０】
一方、前記面材２２には、図５に示すように、前記補強金物３を壁２の内部に差し入れるための差入孔４が形成されている。
これによって、この差入孔４から補強金物３を壁２の内部に容易に差し入れて前記横材２０ｂの上面に設置することができる。すなわち、このように補強金物３を容易に設置することができるので、前記壁２を基礎１に対して容易に固定することが可能となる。
【００３１】
また、前記面材２２に差入孔４を形成するだけで、前記補強金物３を壁２の内部に差し入れることができ、前記壁２を基礎１に対して固定することができるので、新築建物だけでなく、既存建物のリフォームにも対応することが可能となる。
なお、新築建物においては、予め前記横材２０ｂの上面に補強金物３を設置することで、前記面材２２に差入孔４を形成せずに補強金物３を設置するようにしても良い。
【００３２】
一方、図１および図２に示すように、前記横材２０ｂおよび補強金物３の底部３０ａには、前記アンカーボルト１ａが挿通されるボルト挿通孔５，６が形成され、前記アンカーボルト１ａの上端にナット７が螺合されている。
なお、前記ナット７と補強金物３の底部３０ａとの間には、図１に示すように、座金部材７ａを介在させるようにすることが好ましい。
【００３３】
すなわち、前記横材２０ｂおよび補強金物３の底部３０ａに、前記アンカーボルト１ａが挿通されるボルト挿通孔５，６が形成されているので、このボルト挿通孔５，６にアンカーボルト１ａを挿通させることによって前記基礎１と、前記壁２および補強金物３とを確実に接続することができるようになっている。
また、前記アンカーボルト１ａの上端にナット７が螺合されていることから、前記壁２を、前記補強金物３を介して基礎１に対して確実に固定できるとともに、より一層強固に固定できるので、例えば地震や台風等の際における壁２の引き抜きをより一層確実に防ぐことが可能となっている。
【００３４】
次に、建物の補強方法について説明する。
【００３５】
まず、図１および図５に示すように、前記基礎１上に土台部材１ｂを設置し、この土台部材１ｂ上に前記壁２を立設する。この時、前記基礎１から突出するアンカーボルト１ａを、前記壁２の横材２０ｂに形成されたボルト挿通孔５に挿通させるようにして壁２を立設するものとする。
【００３６】
次に、図２に示すように、前記補強金物３の第１当接面３ａ、第２当接面３ｂおよび第３当接面３ｃに接着剤を塗布する。
【００３７】
次に、図１および図５に示すように、前記面材２２に形成された差入孔４から、前記補強金物３を壁２の内部に差し入れて、この補強金物３の底部３０ａに形成されたボルト挿通孔６に前記アンカーボルト１ａを挿通させるようにして、この補強金物３を前記壁２の横材２０ｂの上面に設置する。
この時、前記第１当接面３ａとしての立設壁部３０ｂの背面を、前記一方の面材２１に対して圧着するとともに、前記第２当接面３ｂとしての側壁部３１の側面を、前記縦材２０ａに対して圧着するようにする。
【００３８】
次に、前記アンカーボルト１ａの上端に螺合されたナット７を締め付けて、前記第３当接面３ｃとしての底部３０ａの底面を前記横材２０ｂに対して圧着するとともに、前記基礎１と、前記壁２および補強金物３とを接続する。以上のようにして、建物の補強が行われる。
【００３９】
なお、本実施の形態において、前記第１当接面３ａを少なくとも一方の面材２１に対して当接するものとしたが、この面材２１に限られず、前記面材２２に対して当接するものとしても良い。同じく、本実施の形態において、前記差入孔４を面材２２に対して形成するものとしたが、この面材２２に限られず、前記面材２１に対して当接するものとしても良い。
【００４０】
また、本実施の形態における補強金物３の形状は、これに限られるものではなく、本発明の趣旨を逸脱しない範囲で適宜変更可能である。
【００４１】
本実施の形態によれば、前記両面材２１，２２のうち、少なくとも一方の面材２１に当接する第１当接面３ａに接着剤が塗布されているので、この接着剤によって前記少なくとも一方の面材２１と補強金物３とを接着することができる。そして、このような補強金物３が、前記横材２０ｂの上面に設置されるとともに、前記基礎１から突出するアンカーボルト１ａに接続されているので、前記少なくとも一方の面材２１に接着された補強金物３を介すようにして、前記壁２を基礎１に対して強固に固定することができる。これによって、例えば地震や台風等の際における壁２の引き抜きを確実に防ぐことが可能となり、延いては、建物全体の補強を行うことができる。
【００４２】
（第２の実施の形態）
次に、図面を参照して本発明の第２の実施の形態について説明する。なお、説明の便宜上、上述した第１の実施の形態とは異なる構成部分のみについて説明する。
【００４３】
本実施の形態の補強金物３Ａは、図３および図４に示すように、前記横材２０ｂの上面に設けられる底部３０Ａａと、この底部３０Ａａに直交するようにして該底部３０Ａａの一端部に立設された立設壁部３０Ａｂとからなる断面略Ｌ字状の本体部３０Ａと、この本体部３０Ａの側部において前記底部３０Ａａ上に立設された側壁部３１Ａとを備えるとともに、前記側壁部３１Ａに対向する位置に、この側壁部３１Ａと同一形状の補助側壁部３２Ａが設けられている。
【００４４】
そして、この補強金物３Ａは、図３に示すように、前記立設壁部３０Ａｂの背面を壁２の縦材２０ａに当接させるとともに、前記補助側壁部３２Ａの側面を壁２の両面材２１，２２のうち、一方の面材２１に当接させ、さらに前記側壁部３１Ａの側面を壁２の両面材２１，２２のうち、他方の面材２２に当接させるようにして、壁２の内部に差し入れられて横材２０ｂの上面に設置される。
【００４５】
すなわち、図３および図４に示すように、前記側壁部３１Ａの側面と、この側壁部３１Ａに対向する位置に前記補助側壁部３２Ａの側面が第１当接面３Ａａ，３Ａａとなり、前記立設壁部３０Ａｂの背面が第２当接面３Ａｂとなり、前記底部３０Ａａの底面が第３当接面３Ａｃとなるので、本実施の形態の補強金物３Ａは、壁２を構成する両面材２１，２２の両方に対して接着されるとともに、前記縦材２０ａおよび横材２０ｂにも接着された状態となる。
【００４６】
本実施の形態によれば、第１の実施の形態と同じ効果を得ることができるとともに、前記補強金物３Ａを、壁２を構成する両面材２１，２２の両方に接着することができるので、前記壁２を基礎１に対して格段に強固に固定することができる。
【図面の簡単な説明】
【００４７】
【図１】本発明の建物の補強構造を示す側断面図である。
【図２】補強金物を示す斜視図である。
【図３】本発明の建物の補強構造を示す正断面図である。
【図４】補強金物を示す斜視図である。
【図５】面材に差入孔４が形成された状態を示す斜視図である。
【符号の説明】
【００４８】
１  基礎
１ａ  アンカーボルト
２  壁
３  補強金物
３Ａ  補強金物
２０ａ  縦材
２０ｂ  横材
２１  面材
２２  面材
【図１】
2008115563.tif 000003
【図２】
2008115563.tif 000004
【図３】
2008115563.tif 000005
【図４】
2008115563.tif 000006
【図５】
2008115563.tif 000007